(57)【要約】【課題】デジタル放送を簡単な手段により効率よくＩＰ網に再送信する再送信装置、ＩＰ受信装置及び再送信システムを提供することにある。【解決手段】地上デジタル放送のＩＰ網への再送信は、事業者１０００に設置されたアンテナ１１００で受信した地上デジタル放送信号が再送信装置１２００に入力され、ＩＰ網に配信するための処理が行われた後、ルータ１３００、光伝送装置１４００を介して家庭に配信される。この時、ＩＰパケットに含まれるＴＳを識別できるヘッダ情報を付加することで、ＩＰ受信装置２３００で容易に所望のＴＳを抽出することが可能となる。【選択図】図１
2007068109.tif 000002
【特許請求の範囲】
【請求項１】
第１の伝送路から伝送されてきたデジタル放送信号を受信する受信手段と、
前記受信手段から出力されるトランスポートストリームパケットを一つまたは複数個集めて伝送パケットを生成する伝送パケット生成手段と、
前記受信手段から出力されるトランスポートストリームパケットから前記トランスポートストリームを識別できる情報を含む伝送パケットヘッダを生成する伝送パケットヘッダ生成手段と、
前記伝送パケット生成手段で生成された伝送パケットと前記伝送パケットヘッダ生成手段で生成された伝送パケットヘッダとを含むＩＰパケットを生成するＩＰパケット生成手段と、
前記ＩＰパケット生成手段で生成したＩＰパケットを第２の伝送路に送出する送出手段と、
を具備することを特徴とする、
再送信装置。
【請求項２】
第１の伝送路から伝送されてきたデジタル放送信号を受信する受信手段と、
前記受信手段から出力されるトランスポートストリームパケットを一つまたは複数個集めて伝送パケットを生成する第１の伝送パケット生成手段と、
前記受信手段から出力されるトランスポートストリームパケットからある特定のパケットを抽出し伝送パケットを生成する第２の伝送パケット生成手段と、
前記受信手段から出力されるトランスポートストリームパケットから前記トランスポートストリームを識別できる情報と前記伝送パケットのトランスポートストリーム毎の固有の情報とを含んだ伝送パケットヘッダを生成する伝送パケットヘッダ生成手段と、
前記第１の伝送パケット生成手段で伝送パケット化されたトランスポートストリームパケットと前記伝送パケットヘッダ生成手段で生成された前記伝送パケットヘッダとを含むＩＰパケットを生成する第１のＩＰパケット生成手段と、
前記第２の伝送パケット生成手段で伝送パケット化されたトランスポートストリームパケットと、前記伝送パケットヘッダ生成手段で生成された前記伝送パケットヘッダを含むＩＰパケットを生成するする第２のＩＰパケット生成手段と、
前記第１のＩＰパケット生成手段で生成したＩＰパケットと前記第２のＩＰパケット生成手段で生成したＩＰパケットを第２の伝送路に送出する送出手段と、
を具備することを特徴とする、
再送信装置。
【請求項３】
前記受信手段および前記伝送パケットヘッダ生成手段および前記伝送パケット生成手段および前記ＩＰパケット生成手段を複数個具備し、複数のデジタル放送信号を処理すること特徴とする請求項１記載の再送信装置。
【請求項４】
前記受信手段および前記伝送パケットヘッダ生成手段および前記第１の伝送パケット生成手段および第２の伝送パケット生成手段および前記第１のＩＰパケット生成手段および前記第１のＩＰパケット生成手段を複数個具備し、複数のデジタル放送信号を処理すること特徴とする請求項２記載の再送信装置。
【請求項５】
前記複数のＩＰパケット生成手段の出力を時分割に多重して出力するＩＰパケット選択手段を具備し、複数のデジタル放送信号を処理すること特徴とする請求項３または請求項４記載の再送信装置。
【請求項６】
前記伝送パケットヘッダに含まれるトランスポートストリームを識別できる情報は、ネットワークＩＤとトランスポートストリームＩＤであることを特徴とする、
請求項１から請求項５のいずれかに記載の再送信装置。
【請求項７】
前記伝送パケットヘッダ生成手段で生成される伝送パケットヘッダには、前記第１の伝送路から伝送されてきたデジタル放送信号に含まれる緊急警報情報が含まれていることを特徴とする、
請求項１から請求項６のいずれかに記載の再送信装置。
【請求項８】
前記受信手段は、放送信号の受信状態を監視し出力する受信状態監視手段を有しており、
前記伝送パケットヘッダ生成手段で生成される伝送パケットヘッダには、前記受信状態監視手段からの情報が含まれていることを特徴とする、
請求項１から請求項７のいずれかに記載の再送信装置。
【請求項９】
前記第２の伝送パケット生成手段で伝送パケット化される特定のパケットには、ＮＩＴ（Ｎｅｔｗｏｒｋ Ｉｎｆｏｒｍａｔｉｏｎ  Ｔａｂｌｅ）を含んでいることを特徴とする、
請求項２および請求項４から請求項８のいずれかに記載の再送信装置。
【請求項１０】
前記第２の伝送パケット生成手段で伝送パケット化される特定のパケットとは、ＥＰＧ（Ｅｌｅｃｔｒｉｃ  Ｐｒｏｇｒａｍ  Ｇｕｉｄｅ）に関する情報を伝送するパケットを含んでいることを特徴とする、
請求項２および請求項４から請求項１０のいずれかに記載の再送信装置。
【請求項１１】
前記送出手段は、前記ＩＰパケットをマルチキャストで送出することを特徴とする
請求項１から請求項１０のいずれかに記載の再送信装置。
【請求項１２】
前記送出手段は、前記ＩＰパケットを同一のマルチキャストアドレスで送出することを特徴とする、
請求項１から請求項１０のいずれかに記載の再送信装置。
【請求項１３】
前記送出手段は、前記ＩＰパケットをブロードキャストで送出することを特徴とする
請求項１から請求項１２いずれかに記載の再送信装置。
【請求項１４】
前記ＩＰパケット生成手段は、前記伝送パケットヘッダを前記生成したＩＰパケット内の特定の位置に配置することを特徴とする、
請求項１から請求項１３のいずれかに記載の再送信装置。
【請求項１５】
ＩＰパケット化されて伝送されるトランスポートストリームを受信し、映像・音声等を出力する受信装置において、
前記受信装置に搭載される受信手段は、受信した前記ＩＰパケットのペイロードに含まれる請求項１から請求項１４に記載の再送信装置が生成する前記伝送パケットヘッダを抽出・解析し、その解析結果を元に所望のトランスポートストリームパケットのみを選択し取り出すフィルタ機能を有していることを特徴とする、
ＩＰ受信装置。
【請求項１６】
請求項１から請求項１４いずれかに記載の再送信装置と、
請求項１５に記載のＩＰ受信装置と、
を具備することを特徴とする、
再送信システム。
【発明の詳細な説明】
【技術分野】
【０００１】
本発明は、放送信号を通信網等に再送信する再送信システムに関し、特に伝送されてくるトランスポートストリームをＩＰ化し通信網等に送出する再送信装置と、ＩＰ化されたトランスポートストリームを受信するＩＰ受信装置、及びそれらで構成される再送信システムに関する。
【背景技術】
【０００２】
近年放送のデジタル化が進んできており、それに応じてデジタル放送の再送信方式も開発されてきている。これによって、ＣＡＴＶ事業者や通信事業者は、ＢＳデジタル放送や地上デジタル放送を再送信し、電波を直接受信しているユーザと同等のサービスを供給している。
【０００３】
現在のＢＳデジタル放送では、複数のトランスポートストリーム（以下ＴＳと略す）を独立性を保ったまま1つの伝送帯域で伝送するために、周期的なフレーム構造をもたせ、その相対的な位置情報を利用する方法が実現されている。しかしながら、この相対的な位置情報等の情報は、ＴＳパケットとは異なる形式のデータや変調信号の特殊シンボルで伝送されており、他のシステムに適用できるものではない。そのため、デジタル放送を他のシステムで再送信する方法として、例えば特許文献１のような方法が考えられている。
【０００４】
従来技術の内容を、図１１を用いて説明する。
【０００５】
図１１は、従来技術によりデジタル放送を再送信するＴＳ多重装置のブロック構成の一例を示している。ＴＳ多重装置４０００は、デジタル放送のＴＳの入力処理を行う入力部４１００と多重フレーム化に対する情報を生成し、ＴＳ形式で周期的に出力するフレーム化情報発生部４２００、それぞれのＴＳの多重処理を行う多重処理部４３００で構成されている。
【０００６】
ＴＳ多重装置４０００では、ＴＳ入力部４１００で各ＴＳの入力処理、速度変換等を行い、多重処理部４３００で、各ＴＳを1つのＴＳパケット列に多重する。このとき、多重処理部４３００では、Ｎ個の入力ＴＳ（ＴＳ−１〜ＴＳ−Ｎ）をＭ個のＴＳパケット毎にフレーム化して多重し、フレームの先頭に、フレーム化情報発生部４２００で生成されたヘッダパケットを挿入し、Ｍ＋１個のパケットを１つのフレームとして出力する。ここで、ヘッダパケットは、フレーム内のＴＳパケットとスロット位置の関係を示す情報を含むＴＳパケット形式のヘッダである。
【０００７】
このようなフレーム化構造にすることで、単一ＴＳ伝送を想定した伝送方式で、複数のＴＳを、独立性を保ったまま多重化伝送することができ、デジタル放送をＣＡＴＶ網等に再送信することが可能となる。
【特許文献１】特開２０００−１８３８４１号公報
【発明の開示】
【発明が解決しようとする課題】
【０００８】
しかしながら、上記のようなデジタル放送の再送信が実現されているシステムは、ＴＳの伝送を目的とした伝送路に対して開発されたシステムであり、ＩＰ網への再送信については考慮されていない。
【０００９】
ＴＳをＩＰ化して再送信する場合、ＴＳの多重はＩＰ層で実現できるため、上記の方法で複数のＴＳを多重してからＩＰ化するよりも、単一のＴＳ毎にＩＰ化して伝送する方が効率よく伝送できるが、それぞれのＴＳを識別する手段が必要となる。マルチキャストを使って再送信することを考えた場合には、ＴＳ毎にマルチキャストアドレスを割り振ることでＴＳを識別する方法も考えられるが、その場合には、ＴＳの数だけマルチキャストアドレスを用意し、受信側にどのＴＳがそれぞれどのマルチキャストアドレスに割り振られているかを認識させる方法が別途必要となり、さらに再送信するＴＳの追加・削除によるマルチキャストアドレスの増減にも柔軟に対応することができない。
【００１０】
本発明の目的は、デジタル放送のＴＳをＩＰ化して再送信するシステムにおいて、同一のマルチキャストアドレスや、ブロードキャストアドレスを使用した場合にも柔軟に対応でき、且つＴＳに手を加えることなく簡単な方法で効率よくＩＰ網に再送信する再送信装置、ＩＰ受信装置及び再送信システムを提供することにある。
【課題を解決するための手段】
【００１１】
上記課題を解決するために、本発明の一実施形態の再送信装置は、第１の伝送路から伝送されてきたデジタル放送信号を受信する受信手段と、前記受信手段から出力されるトランスポートストリームパケットを一つまたは複数個集めて伝送パケットを生成する伝送パケット生成手段と、前記受信手段から出力されるトランスポートストリームパケットから前記トランスポートストリームを識別できる情報を含む伝送パケットヘッダを生成する伝送パケットヘッダ生成手段と、前記伝送パケット生成手段で生成された伝送パケットと前記伝送パケットヘッダ生成手段で生成された伝送パケットヘッダとを含むＩＰパケットを生成するＩＰパケット生成手段と、前記ＩＰパケット生成手段で生成したＩＰパケットを第２の伝送路に送出する送出手段と、を具備する。
【００１２】
また、本発明の一実施形態の再送信装置は、第１の伝送路から伝送されてきたデジタル放送信号を受信する受信手段と、前記受信手段から出力されるトランスポートストリームパケットを一つまたは複数個集めて伝送パケットを生成する第１の伝送パケット生成手段と、前記受信手段から出力されるトランスポートストリームパケットからある特定のパケットを抽出し伝送パケットを生成する第２の伝送パケット生成手段と、前記受信手段から出力されるトランスポートストリームパケットから前記トランスポートストリームを識別できる情報と前記伝送パケットのトランスポートストリーム毎の固有の情報とを含んだ伝送パケットヘッダを生成する伝送パケットヘッダ生成手段と、前記第１の伝送パケット生成手段で伝送パケット化されたトランスポートストリームパケットと前記伝送パケットヘッダ生成手段で生成された前記伝送パケットヘッダとを含むＩＰパケットを生成する第１のＩＰパケット生成手段と、前記第２の伝送パケット生成手段で伝送パケット化されたトランスポートストリームパケットと、前記伝送パケットヘッダ生成手段で生成された前記伝送パケットヘッダを含むＩＰパケットを生成するする第２のＩＰパケット生成手段と、前記第１のＩＰパケット生成手段で生成したＩＰパケットと前記第２のＩＰパケット生成手段で生成したＩＰパケットを第２の伝送路に送出する送出手段と、を具備する。
【００１３】
また、本発明の一実施形態の再送信装置は、前記受信手段および前記伝送パケットヘッダ生成手段および前記伝送パケット生成手段および前記ＩＰパケット生成手段を複数個具備し、複数のデジタル放送信号を処理すること特徴とする。
【００１４】
また、本発明の一実施形態の再送信装置は、前記受信手段および前記伝送パケットヘッダ生成手段および前記第１の伝送パケット生成手段および第２の伝送パケット生成手段および前記第１のＩＰパケット生成手段および前記第１のＩＰパケット生成手段を複数個具備し、複数のデジタル放送信号を処理すること特徴とする。
【００１５】
また、本発明の一実施形態の再送信装置は、前記複数のＩＰパケット生成手段の出力を時分割に多重して出力するＩＰパケット選択手段を具備し、複数のデジタル放送信号を処理すること特徴とする。
【００１６】
また、本発明の一実施形態の再送信装置として、前記伝送パケットヘッダに含まれるトランスポートストリームを識別できる情報は、ネットワークＩＤとトランスポートストリームＩＤであることを特徴とする。
【００１７】
また、本発明の一実施形態の再送信装置として、前記伝送パケットヘッダ生成手段で生成される伝送パケットヘッダには、前記第１の伝送路から伝送されてきたデジタル放送信号に含まれる緊急警報情報が含まれていることを特徴とする。
【００１８】
また、本発明の一実施形態の再送信装置として、前記受信手段は、放送信号の受信状態を監視し出力する受信状態監視手段を有しており、前記伝送パケットヘッダ生成手段で生成される伝送パケットヘッダには、前記受信状態監視手段からの情報が含まれていることを特徴とする。
【００１９】
また、本発明の一実施形態の再送信装置は、前記第２の伝送パケット生成手段で伝送パケット化される特定のパケットには、ＮＩＴ（Ｎｅｔｗｏｒｋ Ｉｎｆｏｒｍａｔｉｏｎ  Ｔａｂｌｅ）を含んでいることを特徴とする。
【００２０】
また、本発明の一実施形態の再送信装置として、前記第２の伝送パケット生成手段で伝送パケット化される特定のパケットとは、ＥＰＧ（Ｅｌｅｃｔｒｉｃ  Ｐｒｏｇｒａｍ  Ｇｕｉｄｅ）に関する情報を伝送するパケットを含んでいることを特徴とする。
【００２１】
また、本発明の一実施形態の再送信装置として、前記送出手段は、前記ＩＰパケットをマルチキャストで送出することを特徴とする。
【００２２】
また、本発明の一実施形態の再送信装置として、前記送出手段は、前記ＩＰパケットを同一のマルチキャストアドレスで送出することを特徴とする。
【００２３】
また、本発明の一実施形態の再送信装置として、前記送出手段は、前記ＩＰパケットをブロードキャストで送出することを特徴とする。
【００２４】
また、本発明の一実施形態の再送信装置として、前記ＩＰパケット生成手段は、前記伝送パケットヘッダを前記生成したＩＰパケット内の特定の位置に配置することを特徴とする。
【００２５】
また、本発明の一実施形態のＩＰ受信装置は、ＩＰパケット化されて伝送されるトランスポートストリームを受信し、映像・音声等を出力する受信装置において、前記受信装置に搭載される受信手段は、受信した前記ＩＰパケットのペイロードに含まれる請求項１から請求項１４に記載の再送信装置が生成する前記伝送パケットヘッダを抽出・解析し、その解析結果を元に所望のトランスポートストリームパケットのみを選択し取り出すフィルタ機能を有していることを特徴とする。
【００２６】
また、本発明の一実施形態の再送信システムは、再送信装置とＩＰ受信装置とを具備することを特徴とする。
【発明の効果】
【００２７】
本発明の再送信装置、ＩＰ受信装置及び再送信システムによれば、デジタル放送をＩＰ化して再送信する場合において、ＴＳ自体に変更を加えることなく簡単な手段で所望のＴＳを抽出することができる。
【発明を実施するための最良の形態】
【００２８】
以下本発明の実施の形態について、図面を参照しながら説明する。
【００２９】
（実施の形態１）
図１は、本発明の実施の形態１において、一例として地上デジタル放送をＩＰ網に再送信する場合の再送信システム全体の構成を示すブロック図である。図１において、再送信を行う事業者１０００内は、地上デジタル放送を受信するアンテナ１１００と、各チャンネルの地上デジタル放送をＩＰ網に再送信する再送信装置１２００、ＩＰパケットをルーティングするルータ１３００、ＰＯＮ（Ｐａｓｓｉｖｅ  Ｏｐｔｉｃａｌ  Ｎｅｔｗｏｒｋ）システムを使って各家庭まで伝送するための光伝送装置１４００で構成され、各装置は内部ネットワーク１５００で接続されている。事業者１０００とユーザ宅２０００間は、光ファイバ３０００で接続されており、途中で光分岐部３１００によって分岐される構成となっている。ユーザ宅２０００は、ＰＯＮシステムの光伝送端末２１００と、ブロードバンドルータ２２００、再送信されてきたＩＰパケットを受信し放送サービスを行うＩＰ受信装置２３００、それぞれの装置を接続する宅内ＬＡＮ２４００で構成されている。再送信装置１２００は地上デジタル放送の再送信するチャンネル毎に１２００ａ、１２００ｂ、１２００ｃ・・・で区別して示している。また、全ての装置はマルチキャストに対応し、ＩＰパケット化された地上デジタル放送を効率よく伝送できるネットワーク構成となっている。
【００３０】
地上デジタル放送のＩＰ網への再送信は、事業者１０００に設置されたアンテナ１１００で受信した地上デジタル放送信号が再送信装置１２００に入力され、ＩＰ網に配信するための処理が行われた後、ルータ１３００、光伝送装置１４００を介して家庭に配信される。
【００３１】
まず、再送信装置１２００の動作について、以下に詳細に説明する。
【００３２】
図２は、再送信装置１２００の構成を示すブロック図である。地上デジタル放送の信号は再送信装置１２００内部のチューナ部１２０１に入力される。チューナ部１２０１は、入力信号を復調してトランスポートストリームパケット（以下ＴＳＰと略す）１０を出力する。出力されたＴＳＰ１０は、情報ヘッダ生成部１２０２と伝送フレーム生成部１２０３に入力される。情報ヘッダ生成部１２０２では、ＴＳＰ１０内の情報からネットワークＩＤ（以下ＮＷ−ＩＤと略す）とトランスポートストリームＩＤ（以下ＴＳ−ＩＤと略す）を抽出し、例えば図３に示すようにＮＷ−ＩＤとＴＳ−ＩＤの情報が含まれた４バイト固定長の情報ヘッダ１１を生成する。伝送フレーム生成部１２０３では、入力されたＴＳＰを予め決められた数のパケット、例えば７ＴＳＰ毎にまとめてフレーム化し、その先頭に情報ヘッダ生成部１２０２で生成された情報ヘッダ１１を付けて伝送フレーム１００を構築する。その後、ＩＰ送出部１２０４では生成した伝送フレーム１００の先頭にＩＰヘッダ１２を付与してＩＰパケット２００が構築され、内部ネットワーク１５００にマルチキャストで送出される。
【００３３】
各チャンネルの再送信装置１２００それぞれからは、ＩＰパケット２００が同一のマルチキャストアドレス宛に送出される。このＩＰパケットは全て、ルータ１３００、光伝送装置１４００を経由して、事業者１０００と光ファイバ３０００で接続されたユーザ宅２０００全てに配信される。ユーザ宅２０００では、光伝送端末２１００、ブロードバンドルータを経由して、各チャンネルの再送信装置１２００からのＩＰパケットが全てＩＰ受信装置２３００まで伝送される。
【００３４】
次に、ＩＰ受信装置２３００の動作、特にマルチキャストで伝送されてきたそれぞれのチャンネルのＩＰパケットから所望のＴＳＰを抽出する動作について、図４を用いて詳細に説明する。
【００３５】
図４は、ＩＰ受信装置２３００の構成を示すブロック図である。図４において、ＩＰ受信装置２３００は、ＩＰパケットの受信処理を行うフロントエンド部２３１０と、受信したＴＳより映像・音声の再生等の処理を行うバックエンド処理部２３２０で構成されている。なお、バックエンド部２３２０の動作は、一般的なデジタル放送用の受信機の動作と同じであるため説明を省く。
【００３６】
フロントエンド部２３１０は、受信したＩＰパケット２００の受信処理を行うＩＰ処理部２３１１、伝送フレーム１００の先頭にある情報ヘッダの解析を行う情報ヘッダ解析部２３１２、情報ヘッダ解析部２３１２からの情報を元に必要なＴＳＰを含む伝送フレーム１００を抽出し処理する伝送フレーム処理部２３１３、抽出したＴＳＰをバックエンド処理部２３２０で処理できる形に再生するＴＳ処理部２３１４で構成されている。
【００３７】
ＩＰ処理部２３１１では、再送信装置１２００で指定されているマルチキャストアドレスのＩＰパケット２００を全て受信・処理し、ペイロード部にある伝送フレーム１００を抽出する。抽出された伝送フレーム１００は情報ヘッダ解析部２３１２と伝送フレーム処理部２３１３に入力される。情報ヘッダ解析部２３１２では、伝送フレーム１００の先頭の４バイト分からその伝送フレーム１００内のＴＳＰのＮＷ−ＩＤとＴＳ−ＩＤを抽出し、その情報を伝送フレーム処理部２３１３に渡す。地上デジタル放送では、ＮＷ−ＩＤとＴＳ−ＩＤの組み合わせにより、所望のＴＳＰかどうかを判断できる。よって、伝送フレーム処理部２３１３では、情報ヘッダ解析部２３１２からの情報を元に、入力された伝送フレーム１００がバックエンド部２３２０から指示されたＴＳＰを含む伝送フレーム１００かどうかを判断することができる。もし、所望のＴＳＰを含んだ伝送フレーム１００であれば、先頭の４バイト分を削除してＴＳＰの部分をＴＳ処理部２３１４に渡し、所望のＴＳＰを含んだ伝送フレーム１００でなければ伝送フレーム１００を破棄する。ＴＳ処理部２３１４は、バースト的に入力されるＴＳＰより、元のレートを復元したＴＳを生成し、バックエンド部に出力する。
【００３８】
以上の構成により、地上デジタル放送の全てのチャンネルを同一のマルチキャストアドレスで伝送することが可能となり、受信側では、一つのＩＰアドレスだけを監視することで全ての地上デジタル放送を受信することができ、さらにＴＳの中を解析するという複雑な動作をすることなく、それぞれのＩＰパケットに含まれる固定長のヘッダによって所望のＴＳのみを簡単に受信することができる。
【００３９】
なお、本実施の形態では、同一のマルチキャストアドレスを用いる方法を説明したが、ＴＳ毎に別々のマルチキャストアドレスを定義してもよいし、各装置が対応していればブロードキャストを用いても同様に実現できる。もちろんユニキャストでも同様に実現することができる。
【００４０】
また、本実施の形態では、情報ヘッダ１１を４バイトの固定長としたが、予め決めていれば４バイト以上の固定長としてもなんら問題はない。さらに、ヘッダの先頭にヘッダ長を示す部分を設ければ、可変長とすることも可能である。
【００４１】
また、チューナ１２０１が受信した地上デジタル放送に含まれる緊急警報情報や、地上デジタル放送波の受信状態を示す情報を出力できる場合、情報ヘッダ生成部１２０２でそれらの情報を取得するような構成とすることで、例えば情報ヘッダを５バイトの固定長とし、図５のようにそれらの情報を情報ヘッダに付加することができる。これにより、ＩＰ受信装置２３００の情報ヘッダ解析部２３１２でこの付加情報を認識しそれに対応できる機能があれば、緊急警報時に地上デジタル放送を直接受信する受信装置と同様な動作を、ＩＰ受信装置でも実現することができ、また、事業者１０００での地上デジタル放送の電波の受信状態に応じた表示動作をＩＰ受信装置で行わせることができる。
【００４２】
また、本実施の形態では、情報ヘッダを伝送フレームの先頭に配置する構成としたが、伝送フレームの最後尾等、情報ヘッダと認識できる場所であればどこに配置してもよい。
【００４３】
また、本実施の形態では、一例として７ＴＳＰ毎に伝送フレームを構成したが、それ以外のＴＳＰ毎に伝送フレームを構成しても何ら問題はない。
【００４４】
また、本実施の形態では、地上デジタル放送の電波を受けて再送信する方法を説明したが、専用線等、他の通信手段によって伝送されてきた地上デジタル放送でも、再送信装置のチューナ部１２０１がそれらの通信手段に対応すれば、同様に再送信することができる。
【００４５】
また、本実施の形態では、一例として地上デジタル放送をＩＰ網に再送信する方法を説明したが、ＢＳデジタル放送や１１０ＣＳ放送等、他のデジタル放送についても同様に再送信できることは言うまでもない。
【００４６】
（実施の形態２）
次に、本発明の実施の形態２について、まずは再送信装置１２００の動作を、図６を用いて詳細に説明する。
【００４７】
図６は、本発明の実施の形態２における再送信装置１２００の構成を示すブロック図である。
【００４８】
地上デジタル放送のＴＳに含まれているＳＩ（Ｓｅｒｖｉｃｅ  Ｉｎｆｏｒｍａｔｉｏｎ）やＰＳＩ(Ｐｒｏｇｒａｍ  Ｓｐｅｃｉｆｉｃａｔｉｏｎ  Ｉｎｆｏｒｍａｔｉｏｎ)情報を抽出し、その情報のみを集めたＩＰパケットとして、放送とは別に送出している点で実施の形態１とは異なっている。なお、図６において、図２と同様の動作を行う部分については、同一の番号を付与している。
【００４９】
本実施の形態の再送信装置１２００では、受信した地上デジタル放送のＴＳＰより、ある決められた情報パケットを抽出するパケット抽出部１２０５、情報パケット用の伝送フレームを構築する情報パケット用伝送フレーム生成部１２０６が付加されている。また、情報ヘッダ生成部１２０２で生成した情報ヘッダは伝送フレーム生成部１２０３と情報パケット用伝送フレーム生成部１２０６の両方に入力される構成となっている。
【００５０】
地上デジタル放送の信号は再送信装置１２００内部のチューナ部１２０１に入力される。チューナ部１２０１は、入力信号を復調してＴＳＰ１０を出力する。出力されたＴＳＰ１０は、情報ヘッダ生成部１２０２と伝送フレーム生成部１２０３、パケット抽出部１２０５に入力される。情報ヘッダ生成部１２０２では、ＴＳＰ１０内の情報から抽出したＮＷ−ＩＤとＴＳ−ＩＤ、チューナ１２０１より入力された緊急情報と受信状態を示す情報に加えて、伝送フレーム内のパケット種別を示す情報により、例えば図７に示すようなヘッダ情報１１が生成される。通常パケット種別は放送パケットを示す情報、例えば“00000”が入力される。
【００５１】
伝送フレーム生成部１２０３以降の動作は実施の形態１と同様であるため、説明を省く。
【００５２】
パケット抽出部１２０５では、受信した地上デジタル放送のＴＳＰより例えば選局情報に必要なＮＩＴ（Ｎｅｔｗｏｒｋ  Ｉｎｆｏｒｍａｔｉｏｎ  Ｔａｂｌｅ）を抽出する。抽出したＮＩＴパケット１０−ｉは情報パケット用伝送フレーム生成部１２０６に入力される。情報パケット用伝送フレーム生成部１２０６では、ＮＩＴパケット１０−ｉの前に情報ヘッダ生成部１２０２で生成された情報ヘッダ１１−ｉを付加し伝送フレーム１００−ｉを生成する。この時、情報ヘッダ１１−ｉのパケット種別は、ＮＩＴを示す情報、例えば“00001”に置き換えられる。また、伝送フレーム１００−ｉは放送側の伝送フレーム生成部１２０３と同様に７ＴＳＰでフレーム化され、ＮＩＴパケット以外の部分はＮＵＬＬパケットを挿入する。また、ＮＩＴが７ＴＳＰ以上で構成される場合には、複数の伝送フレームに分割してＮＩＴを配置してもいいし、伝送フレーム自体を７ＴＳＰ以上で構成してもよい。生成された伝送フレームは、ＩＰ送出部に伝送される。
【００５３】
ＩＰ送出部１２０４では、伝送フレーム生成部１２０３と情報パケット用伝送フレーム生成部１２０６からの伝送フレーム１００、１００−ｉの先頭に到着順にＩＰヘッダ１２を付与してＩＰパケット２００、２００−ｉが構築され、内部ネットワーク１５００にマルチキャストで送出される。
【００５４】
図８は、本実施の形態においてパケット種別を判断して動作できるＩＰ受信装置２３００の構成を示すブロック図である。情報ヘッダ解析部２３１２では、情報ヘッダ１１、１１−ｉよりＮＷ−ＩＤとＴＳ−ＩＤに加えて、パケット種別を認識し、受信した伝送フレームに含まれるパケットの種別を伝送フレーム処理部２３１３に伝える。伝送フレーム処理部２３１３では、情報ヘッダ解析部２３１２からの情報を元に、所望のＮＷ−ＩＤとＴＳ−ＩＤを持ったＴＳＰで、且つパケット種別が“00000”であれば通常の放送のＴＳＰと判断し、そのＴＳＰをＴＳ処理部２３１４に伝送する。ＮＷ−ＩＤやＴＳ−ＩＤに関わらず、パケット種別が“00001”である情報ヘッダ１１−ｉを持った伝送フレーム１００−ｉを受信した場合には、ＮＩＴと判断し、ＮＩＴのＴＳＰ１０−ｉを情報処理部２３１５に伝送する。情報処理部２３１５では受信したＮＩＴより、全番組のサービスリストを構築することが可能となる。
【００５５】
以上の動作により、ＩＰ受信装置２３００では、それぞれのＴＳを受信し解析することによって取得するＮＩＴ取得動作を、ヘッダ情報１１だけでＮＩＴ情報を識別し収集することが可能となり、受信装置に必要なＮＩＴ取得動作を大幅に軽減することができる。また、ある番組を受信している場合でも同時に全ての番組のＮＩＴ情報を収集することもできるようになる。
【００５６】
なお、本実施の形態では、ＮＩＴ情報をパケット種別だけで判断したが、ＮＷ−ＩＤとＴＳ−ＩＤも条件に含めることで特定のＴＳのＮＩＴだけを収集することができる。
【００５７】
また、本実施の形態では、ＮＩＴ情報の場合を説明したが、他のＳＩ情報、例えばＥＰＧ構築に関するＳＩ情報の取得に関しても、再送信装置１２００の抽出部１２０５でＳＩ情報パケットを抽出し、且つその情報のパケット種別を定義して伝送フレームを構築すれば、同様に動作させることができる。
【００５８】
また、本実施の形態では、一例として地上デジタル放送をＩＰ網に再送信する方法を説明したが、ＢＳデジタル放送や１１０ＣＳ放送等、他のデジタル放送についても同様な動作をさせることができることは言うまでもない。
【００５９】
（実施の形態３）
次に、本発明の実施の形態３について説明する。本実施の形態では、全番組が宅内まで伝送され、番組の選局ポイントがアクセス網の宅内への入り口に設けられている一例であり、ＩＰ受信装置とは別に選局装置を宅内に配置した点で実施の形態１、実施の形態２と異なっている。
【００６０】
図９は、本発明の実施の形態３における、宅内側のシステム構成の一例を示すブロック図である。光伝送端末２１００とＩＰ受信装置２３００の間に受信処理装置２５００が配置されている。
【００６１】
受信処理装置２５００について、図１０を用いて詳細に説明する。受信処理装置２５００では、光端末装置２１００を通じてマルチキャストで伝送されてきたＩＰパケット２００を受信処理部２５０１で受信し伝送パケットフレーム１００を抽出する。抽出された伝送フレーム１００は、情報ヘッダ解析部２５０２と選局処理部２５０３に入力される。情報ヘッダ解析部２５０２は、伝送パケットの情報ヘッダを解析し、伝送パケットの情報を選局処理部２５０３に伝送する。選局処理部２５０３では、ＩＰ受信装置２３００からの選局指示により、情報ヘッダ解析部からの情報を元に所望のＴＳの含まれた伝送フレームを抽出し、ＴＳＰ１０だけを送受信処理部２５０４でＩＰ処理してＩＰパケット２１０を生成し、要求のあったＩＰ受信装置２３００にユニキャストで出力する。ＩＰ受信装置２３００では、伝送されてきたＩＰパケット２１０に含まれるＴＳを処理するだけで、所望のサービスを実施することができる。
【００６２】
以上のような構成により、宅内ＬＡＮ２４００がＩＰ受信装置まで全番組を伝送できるだけの帯域を有していないような場合に、アクセス網の宅内への入り口に選局ポイントが設けられるようなネットワーク構成でも、選局ポイントで複雑なＴＳの解析をすることなく、所望のＴＳ或いはＮＩＴやＳＩ等の番組情報のみを、要求のあったＩＰ受信装置に伝送することが可能となる。
【００６３】
なお、本実施の形態では、受信処理装置２５００までマルチキャストで伝送されてくる例を示したが、ブロードキャストやユニキャストを用いてもよい。
【００６４】
また、本実施の形態では、受信処理装置２５００からユニキャストで出力される例を示したが、マルチキャストで送受信する構成としてもよい。
【００６５】
また、本実施の形態では、受信処理装置２５００からＴＳＰだけをＩＰ処理して出力する構成としたが、実施の形態１や実施の形態２で説明した機能を持ったＩＰ受信装置２３００を用いることで、受信処理装置２５００は、抽出された伝送フレームをそのままＩＰ処理し、ＩＰ受信装置２３００から要求のあったＴＳを全て同一のマルチキャストアドレス、或いはブロードキャストで出力する構成としてもよい。また、それぞれ別のマルチキャストアドレスやユニキャストを用いて出力しても実現できる。
【産業上の利用可能性】
【００６６】
本発明にかかる再送信装置、ＩＰ受信装置及び再送信システムは、全てのＴＳを同一のＩＰアドレスで送受信できるため、受信装置の設置時の設定や選局動作を大幅に軽減することができ、さらに選局情報やＥＰＧ等の情報をシームレスに活用するシステムにも適用できる。
【図面の簡単な説明】
【００６７】
【図１】本発明の実施の形態１における再送信システム全体の構成を示すブロック図
【図２】本発明の実施の形態１における再送信装置の構成を示すブロック図
【図３】本発明の実施の形態１における情報ヘッダの構成の一例を示す図
【図４】本発明の実施の形態１におけるＩＰ受信装置の構成を示すブロック図
【図５】本発明の実施の形態１において、ＮＷ−ＩＤとＴＳ−ＩＤ以外の情報である緊急警報情報と受信状態を示す情報を付加した場合の情報ヘッダの構成の一例を示す図
【図６】本発明の実施の形態２における再送信装置の構成を示すブロック図
【図７】本発明の実施の形態２において、パケット種別を付加した場合の情報ヘッダの構成の一例を示す図
【図８】本発明の実施の形態２におけるＩＰ受信装置の構成を示すブロック図
【図９】本発明の実施の形態３における宅内のシステム構成を示すブロック図
【図１０】本発明の実施の形態３における受信処理装置の構成を示すブロック図
【図１１】従来の再送信装置の構成を示すブロック図
【符号の説明】
【００６８】
１０    ＴＳＰ
１１    情報ヘッダ
１１−ｉ    情報パケットを示す情報ヘッダ
１２    ＩＰヘッダ
１００    伝送フレーム
１００−ｉ    情報パケットを含む伝送フレーム
２００    ＩＰパケット
２００−ｉ    情報パケットを含むＩＰパケット
２１０    受信処理装置によりＴＳＰのみで構成されたＩＰパケット
１０００    事業者
１１００    アンテナ
１２００    再送信装置
１２０１    チューナ部
１２０２    情報ヘッダ生成部
１２０３    伝送フレーム生成部
１２０４    ＩＰ送出部
１２０５    パケット抽出部
１２０６    情報パケット用伝送フレーム生成部
１３００    ルータ
１４００    光伝送装置
１５００    事業者内の内部ネットワーク
２０００    ユーザ宅
２１００    光伝送端末
２２００    ブロードバンドルータ
２３００    ＩＰ受信装置
２３１１    ＩＰ処理部
２３１２    情報ヘッダ解析部
２３１３    伝送フレーム処理部
２３１４    ＴＳ処理部
２３１５    情報処理部
２３１０    フロントエンド処理部
２３２０    バックエンド処理部
２４００    宅内ＬＡＮ
２５００    受信処理装置
２５０１    受信処理部
２５０２    受信処理装置内の情報ヘッダ解析部
２５０３    選局処理部
２５０４    送受信処理部
３０００    光ファイバ
３１００    光分岐部
４０００    従来技術の再送信装置
４１００    従来技術の再送信装置におけるＴＳ入力部
４２００    従来技術の再送信装置におけるフレーム化情報発生部
４３００    従来技術の再送信装置における多重処理部
【図１】
2007068109.tif 000003
【図２】
2007068109.tif 000004
【図３】
2007068109.tif 000005
【図４】
2007068109.tif 000006
【図５】
2007068109.tif 000007
【図６】
2007068109.tif 000008
【図７】
2007068109.tif 000009
【図８】
2007068109.tif 000010
【図９】
2007068109.tif 000011
【図１０】
2007068109.tif 000012
【図１１】
2007068109.tif 000013